(57)【要約】      （修正有）【課題】鉄塔高所作業における落下物によって起こる人的、物的被災を防止するため鉄塔下部周辺に防護ネットを張設する装置を提供する。【解決手段】主柱材１、水平材２、斜材２０よりなる塔体０１の結節部１０の内外側面に防護ネットＮ（成形ネットの構成）を張設するため、１節目の主柱材１または水平材２にアングル固定治具３Ａを取付け、これにＵクレビス５を先端に装着したネット巻張パイプ４を継合し、これに成形ネットＡ型を巻着する。アングル固定治具３Ａの取付点より１．５ｍ上方の主柱材１または腹材０２にアングル固定治具を取付け、これに取着したコ型金具に丸シンブルを装着する。主柱材１の外側に装設の２本のネット巻張パイプ４の一方に成形ネットＡ型を巻付け、その端を張き延ばして他方の巻張パイプ４に掛着する。ネット巻張パイプ４の先端とコ型金具に装着した丸シンブルにロープ８を掛け渡して防護ネットＮのレベルを調整する。【選択図】図１
0003164853.tif 000002
【実用新案登録請求の範囲】
【請求項１】
送電線の鉄塔作業で高所よりの落下物による被災防止を図るために塔体の下部に張設す防護ネットにおいて
（イ）塔体を構成する主柱材と水平材と斜材より結構されてなる第１結節部の内外側面に長方形の成形ネット（外側用はＡ型、内側用はＢ型）を張り巡らすこと
（ロ）結節部を構成する４本の主柱材と水平材に成形ネットを支持するためにＩ型のアングル固定治具を取付けること
（ハ）Ｉ型のアングル固定治具に取着したコ型金具に成形ネットを巻着するためのネット巻張パイプを継合し、その先端にＵクレビスを嵌着すること
（ニ）第１結節部に取付けたアングル固定治具の上方１．５ｍの主柱材または腹材にＩＩ型のアングル固定治具を取付けること
（ホ）ＩＩ型のアングル固定治具に取着したコ型金具に丸シンブルを嵌着すること
（ヘ）主柱材に取付けたアングル固定治具Ｉ型に継合した２本のネット巻張パイプ間に成形ネットＡ型を張り渡すこと
（ト）第１結節部の外側部周辺に張設した成形ネットＡ型のレベルを調整するため上下の固定治具に装着したＵクレビスと丸シンブル間をロ−プによって連索すること
（チ）第１結節部の内側の結構面に成形ネットＢ型を掛止フックを使って敷設すること
（り）作業員の昇塔を妨げるのでステップボルトが取付いている主柱材にアングル固定治具（Ｉ型、ＩＩ型）を取付けず、水平材に取付けること
（ヌ）第１結節部の主柱材に取着したアングル固定治具Ｉ型に継合した２本のネット巻張パイプよりなる隅角（コ−ナ水平角９０°）をチェ−ンによって連結することを
特徴とする落下物防護ネッを張設する装置。
【考案の詳細な説明】
【技術分野】
【０００１】  この考案は、鉄塔などの高い構造体からの落下物による被災（人的、物的損傷）を防護するために構造体の下部に張設する安全ネットに係るもので、詳しくは、送電線や通信線などの高い鉄塔上での作業（建設、点検、補修等）において、高所よりの落下物（工具、部材等）をネットで受止め、下方の作業員や構造物の損傷を最小限に食止めるために塔体の下部に張り巡らす防護用ネットであって、塔体の第１結節部を構成する主柱材や水平材にネット張設用の金具を取り付け、この金具を使って結節部の内外側面に防護ネットを張設する装置に関するものである。
【背景技術】
【０００２】  落下物を受け止める防護用ネットに関する従来技術としては、一般的に、人通りの多い道路に沿って建っているマンションや高層ビルなどの建設、補修作業を行う場合に、その構造物の下方に取り付ける“落下防止ネット”（特許文献１）や、人通りの多い道路に沿って建っている電柱上において作業をする場合に、その電柱の下方に取り付ける“落下物受け止めネット”（特許文献２）のほか、通信用の支持物で、構成する塔体の断面が多角形（四角形、三角形、円筒形）の鉄塔などを建設する場合の装置で、地上より搭上に向かって塔体を組み立てる作業において、組立てた塔体の結節部毎に、その外側周辺部に地上で構成した防護ネットをクレ−ンで吊り下げ、これを上部より被着し、防護ネットを幾段にも張設する“鉄塔への防護ネットの取付け方法”（特許文献３）などが公開されている。
【先行技術文献】
【特許文献１】特許第２８４１１８５号公報
【特許文献２】特許第３１１９５７６号公報
【特許文献３】特開２００６−２３０４４３
【考案の概要】
【考案が解決しようとする課題】
【０００３】  しかし、上記の従来技術における防護ネットの取付装置を、恒常的に行われている送電線の設備点検補修などの高所作業おいて適用することは、塔上作業の様態や防護ネットを支持、張設する金具の機能や取付位置や防護範囲などを異にすることから容易ではない。
よって、本考案においては、上部より落下する物体（作業員の墜落ではない）を、どのような形状のネットによって受け止めるか、そのネットを、どのような支持金具を使って、どこに張設するか、また、これを塔体下部のどの範囲に張設するか、といった問題を課題とし、これらの条件が充足される防護ネットの張設装置を開発することとした。
【課題を解決するための手段】
【０００４】  この考案においては、既設の鉄塔上において作業を実施する都度、暫定的な装置ではあるが、安全、容易かつ能率的に装着することができる防護ネットをどのように塔体に張設したり解体したりするか、その効果的な手段として、防護ネットの張設装置の規模、取付箇所、防護範囲のほか用具類の軽量化、施工性、操作性等について検討、試作を重ねた結果、簡便で容易に実施することのできる利便性に富んだ用具類を創作するに至った。【０００５】  上記の課題を解決する手段として、下記の見解に基づいて本考案をなすに至った。即ち、
（イ）  防護ネット装置を塔体１節目の結節部（断面が正方四辺形）の部材に装着する。
（ロ）  防護ネットを結節部を構成する１節目の塔体内側面と外側面の四囲に張設する。
（ハ）  防護ネットを支持、張設する金具を塔体の主柱材、水平材、腹材等に取着する。
（ニ）  ネット張設用金具は、アングル固定治具にネット巻張パイプが継合されてなる。
（ホ）  防護ネットは、形状が長方形の成形ネットで外側用と内側用の２型を使用する。
（ヘ）  塔体外側の四囲に防護ネットを水平に張設、支持するパイプを折畳み式とする。
（ト）  作業員が昇塔するステップボルト付の主柱材にはネット張設金具を取着しない。
（チ）  塔体外側の隅角部にネットを張設しないが隣設の巻張パイプ間を鎖で連結することであった。
【考案の効果】
【０００６】  上述のような諸条件が充足されてなる防護ネットを塔体下部に張設することにより
（１）  取扱い操作が容易な折畳み式の張設金具を使用するので装置作業が楽である。
（２）  防護ネットの張設範囲が塔体の内外側面に亘るため落下物防止効果が大きい。
（３）  地上３〜４ｍの第１節結節部にネット張設するので地上作業員が保護される。
（４）  成形した外側用と内側用の防護ネットを使い分けるので施工性に富んでいる。
（５）  装着する鉄塔の規模に対応できる装備品なので適応性（汎用性）に富んでいることなど多くの効果を発揮する。
【図面の簡単な説明】
【０００７】
【図１】  本考案の塔体第１結節部に防護ネットを張設する実施形態を示す側面図。
【図２】  塔体第１節結節部の内外側面に防護ネットを張設した状態を示す平面図。
【図３】  結節部主柱材に防護ネットを支持する金具を取着した状態を示す側面図。
【図４】  ネット支持金具を取着する塔体結節部付近の主要部材構成を示す側面図。
【図５】  主柱材（水平材）に取着のアングル固定治具を構成を示す断面と側面図。
【図６】  アングル固定治具に継合のネット巻張パイプの先端部を示す部品構成図。（ａ）端末の圧延部にＵクレビス（丸シンブル）を嵌着した状態を示す詳細図。（ｂ）端末の圧延部を当着板に溶着したコ型金具に嵌着した状態を示す詳細図。
【図７】  成形ネットを巻張するパイプと押止板の形状を示す平面図と要部断面図。
【図８】  塔体の内外側面に張設する２型の成形ネットの形状と構成を示す平面図。
【図９】  従来の高層ビル建設現場に設置する格子ネットと設置状態を示す側面図。
【図１０】  従来の電柱の下に設置する落下物受止めネットの使用状態を示す平面図。
【図１１】  従来の鉄塔建設で塔体への防護ネット取付方法の実施形態を示す側面図。
【考案を実施するための最良の形態】
【０００８】  本考案は、従来、高所より落下する物体を受け止め、墜落者や物品の損傷を防護するネットではなく、高所作業において物品が落下した場合の下方にいる作業員や構造物への被災事故を最小限に食い止めるために塔体の下部に装着する防護ネットの装置であって、これを恒常的に行っている鉄塔点検、補修作業などにおいて、作業開始前に塔体の下部周辺に用意された成形ネットを手際よく鉄塔部材に装着する暫定的な設備であるが、仮設備とは言え必須なことは、その装置の安全性と実用性の確保であり、これが着脱等が簡便かつ能率的に行えるようにするため、塔体に装着する部品、金具類の形状、構造の簡素化と軽量化を図ったものである。以下、その諸装置の内容を添付図面に基づいて詳細に説明する。
【実施例】
【０００９】  図１においては、送電線の四角鉄塔Ｔの地上より１節目の塔体０１であって、４本の主柱材１と水平材２によって構成されている結節部１０の主柱材１または水平材２に防護ネットＮを支持、張設するためのアングル固定治具３Ａを取付け、この治具に溶着のコ型金具３１に成形されたネット６を巻着するネット巻張パイプ４を継合し、図２のように主柱材１または水平材２に取付けられた４個のアングル固定治具３Ａによって８本のネット巻張パイプを塔体０１の外側部に配設し、相対する２本のネット巻張パイプ４に図８に示す２型（Ａ型、Ｂ型）の成形ネット６のうちＡ型の外側用成形ネット６Ａを張設する。
そのため一方の巻張パイプ４にＡ型ネット６Ａを巻着した後、これを引き延ばして他方の巻張パイプ４にその端部を掛着し、塔体０１の四囲に繞設した成形ネット６により一体的に防護ネットＮが張設され、塔体０１の外側周辺面に落下する物体が受け止められる。【００１０】  さらに、塔体０１の１節目で、図２に示すように対辺補助材１１より構成される結節部の内側に縦幅Ｗが２〜２．５ｍ、長さが４〜６ｍに成形されたネット６Ｂを掛着フックを使って敷設することにより塔体０１の内側面に落下する物体が受け止められる。【００１１】  また、図３は、転びθ（傾斜）のある主柱材１に装着する２型のアングル固定治具（３Ａ、３Ｂ）とネット巻張パイプ４の主柱材１への取着状態を示すもので、図４に示すように塔体０１の第１節結節部１０の水平材２の取付け箇所付近の主柱材１または水平材２にＩ型のアングル固定治具３Ａを取付け、この箇所より上方１．５ｍの主柱材１にアングル固定治具３Ｂを取付け、下方のアングル固定治具３Ａに継合のネット巻張パイプ４の先端に［図６］（ａ）（ｂ）に示すようにＵクレビス５を嵌着し、上方のアングル固定治具３Ｂに丸シンブル９を嵌着し、両金物間にロ−プ８を掛け渡し、ロ−プ８を牽引することによりネット巻張パイプ４の水平保持角が主柱材１に対して直角になるよう調整する。【００１２】  また、図５は、塔体０１第１節の結節部１０に防護ネットＮを支持、張設するために主柱材１に取着する金具（Ｉ型アングル固定治具３ＡとＩＩ型アングル固定治具３Ｂ）の部品構成図で、等辺アングルの主柱材１の外面に当着させるＬ型当着板３４の外側２面にコ型金具３１を溶着し、これに図７に示すような外径Ｄが５０ｃｍφ、内径ｄが４２．４ｃｍφ、厚みｔが３．８ｍｍの薄型鋼管で、その両端末部を圧延した圧延部４１を形成するとともに成形ネット６を掛止するフック７１と掛止孔０７を設けたネット巻張パイプ４を継合する。
そして、平鋼板にＬ型の掛止孔７１を穿設した押止板７を使ってネット巻張パイプ４に掛止、巻着した成形ネットが緩まないようにする。【００１３】  図８は、成形されたネット６の形状と構成を示す図で、ネットの素材は、軽量で高張力ポリエチレンの無結網地６１で、角目の寸法が２５ｍｍ×２５ｍｍの格子網ネットを使用する。その形状は、２型で、外側用成形ネット６Ａ型の縦幅Ｗは１．５〜２ｍ、長さＬは４〜６ｍで、内側用成形ネット６Ｂ型の縦幅Ｗは２〜２．５ｍ、長さＬは４〜６ｍで、この２種の成形ネット６を使い合わせる。また、成形ネットの外周縁に沿って高張力ポリエチレン製のロ−プを縒り糸によって巻装した後、側縁部をポリエステル製の覆い布を２つ折りした状態で被覆し、その上をミシンにより縫着し、周縁枠体部０６を周設し、その所要箇所に鳩目６６を設ける。
【符号の説明】
【００１４】  １    主柱材（等辺アングル）          Ｎ    防護ネット
０１  塔体（本体）                    ＳＢ  ステップボルト（昇塔用）
１０  結節部（主柱材、腹材結構部）    Ｔ    四角鉄塔（プライヒ結構）
１１  対辺補助材                      Ａ    腕金（塔体）
２    水平材                          Ｈ    鉄塔高
０２  腹材                            Ｂ    根開き（地際）
２０  斜材                            Ｗ    成形ネット縦幅
２１  水平材（第１節）                Ｌ    成形ネット長さ
２２  水平材（第２節）                ａ    腕金幅
３Ａ  アングル固定治具（Ｉ型）        ｂ    塔体幅（１節目）
３Ｂ  アングル固定治具（ＩＩ型）      ｈ    地上高（地盤〜１節目間）
０３  Ｌ型当着板（等辺）              ＧＰ  ガセットプレ−ト（補強板）
３１  コ型金具                        θ    転び角（傾斜）
３２  アングル掛止具                  Ｄ    パイプ外径
３３  掛止ボルト                      ｄ    パイプ内径
３４  溶着部                          ｌ    パイプ長さ
４    ネット巻張パイプ                ｔ    パイプ厚さ
０４  パイプ本体                      ｗ    押止板の幅
４１  端末圧延部（パイプ）
５    Ｕクレビス
０５  コッタボルト
６    成形ネット（長方形）
０６  周縁枠体部（覆い布、縫着）
６１  無結網地（ネット）
６Ａ  外側用成形ネット（Ａ型）
６Ｂ  内側用成形ネット（Ｂ型）
６６  鳩目（成形ネット掛着用）
７    押止板（平鋼）
７１  掛止フック（Ｌ型）
０７  掛着孔（Ｌ型）
８    牽引ロ−プ（巻張パイプ係留用）
０８  チェ−ン（コ−ナリング、プラスチック）
９    丸シンブル
【図１】
0003164853.tif 000003
【図２】
0003164853.tif 000004
【図３】
0003164853.tif 000005
【図４】
0003164853.tif 000006
【図５】
0003164853.tif 000007
【図６】
0003164853.tif 000008
【図７】
0003164853.tif 000009
【図８】
0003164853.tif 000010
【図９】
0003164853.tif 000011
【図１０】
0003164853.tif 000012
【図１１】
0003164853.tif 000013
【手続補正書】
【提出日】平成22年10月1日(2010.10.1)
【手続補正１】
【補正対象書類名】実用新案登録請求の範囲
【補正対象項目名】全文
【補正方法】変更
【補正の内容】
【実用新案登録請求の範囲】
【請求項１】
送電線の鉄塔作業で高所よりの落下物による被災防止を図るために塔体の下部に張設する防護ネットとそのネットを塔体に固定する治具において
（イ）軽量で高張力ポリエチレンの無結網地で、角目の寸法が２５ｍｍ×２５ｍｍの格子網を使って防護ネットを成形する
（ロ）成形するネットの形状を長方形とし、このネットを、塔体を構成する主柱材と水平材と斜材より結構されてなる第１結節部の外側面に張設する場合のネットをＡ型ネットとし、内側面に張設する場合のネットをＢ型ネットとする
（ハ）長方形に成形するＡ型ネットの縦幅を１．５〜２ｍ、長さを４〜６ｍとし、長方形に成形するＢ型ネットの縦幅を２〜２．５ｍ、長さを４〜６ｍとする
（ニ）第１結節部を構成する４本の主柱材と水平材に成形したＡ型ネットを支持、張設する金具として、Ｌ型当着板にネット巻張パイプを継合する２個のコ型金具と２個のアングル掛止金具を取着したＩ型のアングル固定治具を取付ける
（ホ）Ｉ型のアングル固定治具取付け箇所より上方１．５ｍの主柱材または腹材にネット巻張パイプを保持する金具として、Ｌ型当着板に２個のコ型金具と２個のアングル掛止金具を取着したＩＩ型のアングル固定治具を取付ける
（ヘ）第１結節部の２本の主柱材に取付けたＩ型のアングル固定治具に継合した相対する２本のネット巻張パイプ間にＡ型ネットを張り渡し、塔体外側の四囲周辺に防護ネットを繞設する
（ト）  第１結節部の内側の結構面にＢ型ネットを掛止フックを使って敷設する
（チ）  Ｉ型のアングル固定治具に取着した２個のコ型金具に成形したＡ型ネットを巻着するためにパイプの両端末部を圧延したネット巻張パイプを継合し、その先端にＵクレビスを嵌着する
（リ）Ｉ型のアングル固定治具に継合のネット巻張パイプに巻着、張設したＡ型ネットのレベル調整とネット巻張パイプを上下折畳み式とするため、圧延されたネット巻張パイプの一端をコ型金具に螺着し、その先端に装着したＵクレビスと上方のＩＩ型アングル固定治具のコ型金具に嵌着した丸シンブル間をロ−プにより連結、索引することによってネット巻張パイプをＩＩ型アングル固定治具に保持する
（ヌ）  主柱材に取着したＩ型のアングル固定治具に継合した２本のネット巻張パイプよりなる隅角が直角となるよう両パイプの先端部間をチェ−ンによって連結することを特徴とする落下物防護ネット張設装置。